(57)【要約】【課題】開閉可能に支持された扉枠を備えた遊技機において、リサイクル性の向上を図る。【解決手段】パチンコ機１は、外枠２と、該外枠２の前部に設けられ外枠２の一側部にて開閉可能に支持された前面枠３とを備えている。前面枠３の前面側には、遊技球Ｂの発射部よりも上方においてガラス扉枠４が設けられている。前面枠３の後部には、遊技盤５が着脱可能に装着されている。ガラス扉枠４の下方には、遊技球Ｂを貯留するための上皿６の一体形成された前飾り枠９が設けられている。また、前面枠３の前面下部には、左右方向ほぼ中央部において下皿７が設けられている。ガラス扉枠４は、樹脂を主体とする装飾枠３２と、樹脂とは異質の素材を主体とするガラス支持枠３１とに分離され、それぞれ異なる支持部で支持されている。【選択図】　　　　　図１
2004008699.tif 000002
【特許請求の範囲】
【請求項１】
少なくとも開閉可能に支持された扉枠を備えた遊技機であって、
前記扉枠を、複数の扉枠に分離し、分離された扉枠のうちの少なくとも１つを、単一又はほぼ単一の素材により構成したことを特徴とする遊技機。
【発明の詳細な説明】
【０００１】
【発明の属する技術分野】
本発明は、パチンコ機等の遊技機に関するものである。
【０００２】
【従来の技術】
従来、遊技機の一種として、遊技盤面上における遊技球の挙動に起因して種々の遊技状態が導出されるパチンコ機等の遊技機が知られている。このような遊技機は、外枠と、その前部に設けられた前面枠とを備えている。前面枠は外枠の一側部にて開閉可能に支持されている。前面枠の前面側には、その一側部にてガラス扉枠が開閉可能に設けられている。
【０００３】
例えば、上記ガラス扉枠は、遊技者から直接視認されるものである。従って、当該ガラス扉枠に対し、各種装飾部材や、演出部材等の諸機能を有する部材が搭載されるのが通例となっている。
【０００４】
【発明が解決しようとする課題】
一方で、各種部材を搭載するほど、ガラス扉枠自体が複雑なものとなってくる。換言すれば、ガラス扉枠が、多種多様な素材から構成されることとなる。そして、この場合には、リサイクル性が著しく低下してしまうおそれがある。つまり、多岐の素材によって構成されるものをリサイクルに供しようとした場合、各素材毎に分別することが著しく手間となってしまうおそれがあり、リサイクルに支障が生じてしまうおそれがある。なお、かかる不具合は、ガラス扉枠に限られるものではなく、遊技機を構成する他のパーツに関しても内在しうるものである。
【０００５】
本発明は、上述した問題に鑑みてなされたものであって、その目的は、少なくとも開閉可能に支持された扉枠を備えた遊技機であって、リサイクル性の向上を図ることの可能な遊技機を提供することにある。
【０００６】
【課題を解決するための手段及び発明の効果】
上記の目的を達成するために有効な手段を以下に示す。なお、必要に応じてその作用効果等についても説明する。
【０００７】
手段１．少なくとも開閉可能に支持された扉枠を備えた遊技機であって、
扉枠を、複数の扉枠に分離し、分離された扉枠のうちの少なくとも１つを、単一又はほぼ単一の素材により構成したことを特徴とする遊技機。
【０００８】
手段１によれば、少なくとも開閉可能に支持された扉枠が複数の扉枠に分離されており、分離された扉枠のうちの少なくとも１つが、単一又はほぼ単一の素材により構成されている。このため、当該単一又はほぼ単一の素材により構成された扉枠に関しては、何ら煩わしさを伴うことなくリサイクルに供することが可能となる。その結果、リサイクル性の飛躍的な向上を図ることができる。ここで、「単一又はほぼ単一の素材」とあるのは、例えば樹脂という範疇で括ってもよいし、樹脂のうちでも熱可塑性樹脂という範疇で括ってもよいし、さらに、ポリオレフィン系、アクリル系樹脂、ポリウレタン系樹脂、ポリエステル系樹脂といった範疇で括ってもよいし、ポリプロピレン、ポリアクリロニトリル、ポリエチレンテレフタレートといった詳細な範疇で括ってもよい。もちろん、所定の小ポリマーであってもよい。また、「ほぼ単一」とあるのは、純粋な意味での単一に拘泥されるものではないという趣旨である。つまり、特に分断作業を要することなく、そのままリサイクルに供することができる程度にほぼ単一となっていればよいという趣旨である。従って、比較的容易に取り外しのできる微細な異種部材（例えば樹脂板に取付けられる金属製のネジ）等が含まれていても差し支えない。
【０００９】
手段２．少なくとも前面枠と、
前記前面枠に対し開閉可能に支持された扉枠と
を備え、前記扉枠を、少なくとも単一又はほぼ単一の素材を主体とする第１の扉枠と、前記素材とは異質の素材を主体とする第２の扉枠とに分離し、それぞれを異なる支持部で支持するよう構成したことを特徴とする遊技機。
【００１０】
手段２によれば、前面枠に対し開閉可能に支持された扉枠が、少なくとも単一又はほぼ単一の素材を主体とする第１の扉枠と、前記素材とは異質の素材を主体とする第２の扉枠とに分離されている。このように、第１の扉枠に関しては、容易にリサイクルに供することができる。また、第２の扉枠に関しては、異質の素材が主体となっており、第１の扉枠と切り離してリサイクルが可能となる。さらに、第１及び第２の扉枠は、それぞれが異なる軸で支持されているため、扉枠の重量がそれぞれに分散されることとなり、各第１及び第２の扉枠について各支持部にかかる負荷が軽減される。その結果、特殊な支持構造を採用せずとも済み、また、扉枠に対する装飾等の付加に関し、バリエーションを持たせることも可能となる。
【００１１】
手段３．少なくとも前面枠と、
前記前面枠に対し開閉可能に支持された扉枠と
を備え、前記扉枠を、少なくとも樹脂を主体とする第１の扉枠と、前記樹脂とは異質の素材を主体とする第２の扉枠とに分離し、それぞれを異なる支持部で支持するよう構成したことを特徴とする遊技機。
【００１２】
手段３によれば、前面枠に対し開閉可能に支持された扉枠が、少なくとも樹脂を主体とする第１の扉枠と、前記樹脂とは異質の素材を主体とする第２の扉枠とに分離されている。このように、第１の扉枠に関しては、樹脂が主体となっているため、当該第１の扉枠を容易にリサイクルに供することができる。また、第２の扉枠に関しては、樹脂とは異質の素材が主体となっており、第１の扉枠と切り離してリサイクルが可能となる。さらに、第１及び第２の扉枠は、それぞれが異なる軸で支持されているため、扉枠の重量がそれぞれに分散されることとなり、各第１及び第２の扉枠について各支持部にかかる負荷が軽減される。その結果、特殊な支持構造を採用せずとも済み、また、扉枠に対する装飾等の付加に関し、バリエーションを持たせることも可能となる。
【００１３】
手段４．前記第２の扉枠は、前記前面枠に装着される遊技盤の前面側を覆う透明部材の周縁部を支持するための支持フレームであり、第１の扉枠は、前記透明部材の周縁を前面側から覆うとともに装飾機能を具備する装飾枠であることを特徴とする手段２又は３に記載の遊技機。
【００１４】
手段４によれば、支持フレームで、遊技盤の前面側を覆う透明部材が支持されることとなる。また、装飾枠が透明部材の周縁を前面側から覆うよう支持される。かかる装飾枠で、装飾機能が付与される。従って、装飾枠を、単一又はほぼ単一の素材、例えば樹脂を主体として構成しても何ら不具合が生じることがなく、かかる素材が主体となっている装飾枠に関して、容易にリサイクルに供することができる。また、支持フレームに関しては、透明部材を取外してそのままリサイクルに供すればよい。さらに、支持フレームに関して、特に装飾機能等を付与しなくてもよく、透明部材及び支持フレームを合わせた重量分を支持すれば済む。また、装飾枠に関しては、該装飾枠に対し、より多くの装飾機能等を付与したとしても、該装飾枠に透明部材の重量が加わらないため、その支持部にさほど負荷がかからない。結果として、バランスよく重量の負担を分散させることができ、支持に関する負荷の軽減を図ることができる。
【００１５】
手段５．前記第１及び第２の扉枠は、互いに異なる辺で支持されていることを特徴とする手段２乃至４のいずれかに記載の遊技機。
【００１６】
手段５によれば、各扉枠は、互いに異なる辺で支持されている。このため、同じ辺で支持される場合に比べて、前面枠にかかる負荷を分散させることができる。また、リサイクルに際し、各扉枠を取り外すときでも取外作業を比較的容易に行うことができる。
【００１７】
手段６．前記第１及び第２の扉枠は、互いに反対側の側部にて支持されていることを特徴とする手段２乃至５のいずれかに記載の遊技機。
【００１８】
手段６によれば、各扉枠は、互いに反対側の側部にて支持されている。このため、同じ側の側部で支持される場合に比べて、前面枠にかかる負荷を分散させることができる。また、リサイクルに際し、各扉枠を取り外すときでも取外作業を比較的容易に行うことができる。
【００１９】
手段７．前記第１の扉枠は、樹脂のみによって構成されていることを特徴とする手段２乃至６のいずれかに記載の遊技機。
【００２０】
手段７によれば、第１の扉枠が樹脂のみによって構成されているため、当該第１の扉枠に関しては、困難性を伴うことなくリサイクルに供することができる。なお、「第１の扉枠が１種類の樹脂のみによって構成されていること」としてもよい。
【００２１】
手段８．前記第２の扉枠は、金属のみによって構成されていることを特徴とする手段２乃至７のいずれかに記載の遊技機。
【００２２】
手段８によれば、第２の扉枠が金属のみによって構成されているため、当該第２の扉枠に関しては、困難性を伴うことなくリサイクルに供することができる。なお、「第２の扉枠が１種類の金属のみによって構成されていること」としてもよい。
【００２３】
手段９．発射された遊技球に基づく遊技を行うよう構成された遊技機であって、
少なくとも前面枠と、
前記遊技球の発射部よりも上方において、前記前面枠に対し、前記第１の支持部にて開閉可能に支持され、少なくとも樹脂を主体とする第１の扉枠と、
前記第１の扉枠の後側において、前記前面枠に対し第２の支持部にて開閉可能に支持され、前記樹脂とは異種の素材を主体とする第２の扉枠と
を備えたことを特徴とする遊技機。
【００２４】
手段９によれば、発射された遊技球に基づく遊技が行われる。遊技球の発射部よりも上方において、前面枠に対し、第１の扉枠が第１の支持部において開閉可能に支持される。また、前面枠に対し、第１の支持部とは別の第２の支持部において第２の扉枠が開閉可能に支持される。このように、第１の扉枠に関しては、樹脂が主体となっているため、当該第１の扉枠を容易にリサイクルに供することができる。また、第２の扉枠に関しては、樹脂とは異質の素材が主体となっており、第１の扉枠と切り離してリサイクルが可能となる。さらに、扉枠の重量が第１の扉枠及び第２の扉枠にそれぞれ分散されることとなり、各扉枠の支持部にかかる負荷が軽減される。その結果、特殊な支持構造を採用せずとも済み、また、扉枠に対する装飾等の付加に関し、バリエーションを持たせることが可能となる。
【００２５】
手段１０．前記第２の扉枠は、前記前面枠に装着される遊技盤の前面側を覆う透明部材の周縁部を支持する支持フレームであることを特徴とする手段９に記載の遊技機。
【００２６】
手段１０によれば、支持フレームで、遊技盤の前面側を覆う透明部材が支持されることとなる。従って、支持フレームに関しては、透明部材を取外して支持フレームをそのままリサイクルに供すればよい。また、第１の扉枠が支持フレームの前面側に位置しているので、該支持フレームに対し装飾機能等を付与しなくてもよく、透明部材及び支持フレームを合わせた重量分を支持すれば済む。
【００２７】
手段１１．前記透明部材は、ガラス板によって構成されていることを特徴とする手段１０に記載の遊技機。
【００２８】
手段１１のように、透明部材がガラス板によって構成されている場合、樹脂板等で構成される場合に比べて、相当の重量となるため、支持フレームも所定の支持安定性が要求され重厚なものとなりがちである。従って、従来のように支持フレームを扉枠本体に安定的に取付けようとすると強固に取付ける必要があり、かかる支持フレームを取り外すのは大変である。この点、上記手段１１のように、支持フレームに関しては、第１の扉枠と独立しており、ガラス板を取外せば容易にリサイクルが可能となる。
【００２９】
手段１２．前記第１の扉枠は、装飾機能を具備していることを特徴とする手段９乃至１１のいずれかに記載の遊技機。
【００３０】
手段１２によれば、第１の扉枠に装飾機能が備えられていたとしても、該第１の扉枠が樹脂を主体として構成されているため、リサイクルを容易に行うことができる。また、第１の扉枠の重量が増大したとしても、第２の扉枠にも重量が分散されていることから、当該第１の扉枠の重量が大きくなりすぎるのを抑制できる。従って、今までにはないような装飾機能を付与することも可能となる。
【００３１】
手段１３．前記第１の扉枠の支持部と、第２の扉枠の支持部とは、互いに異なる辺に位置していることを特徴とする手段９乃至１２のいずれかに記載の遊技機。
【００３２】
手段１３によれば、第１の扉枠の支持部と、第２の扉枠の支持部とが互いに異なる辺に位置しているため、同じ辺に支持部が位置する場合に比べて、前面枠にかかる負荷を分散させることができる。また、リサイクルに際し、各扉枠を取り外すときでも取外作業を比較的容易に行うことができる。
【００３３】
手段１４．前記第１の扉枠の支持部と、第２の扉枠の支持部とは、互いに反対側に位置していることを特徴とする手段９乃至１３のいずれかに記載の遊技機。
【００３４】
手段１４によれば、第１の扉枠の支持部と、第２の扉枠の支持部とが互いに反対側に位置しているため、同じ側の支持部で支持される場合に比べて、前面枠にかかる負荷を分散させることができる。また、リサイクルに際し、各扉枠を取り外すときでも取外作業を比較的容易に行うことができる。
【００３５】
手段１５．前記第１の扉枠を所定角度以上開放した場合にのみ、前記第２の扉枠の開放が許容されるよう構成したことを特徴とする手段９乃至１４のいずれかに記載の遊技機。
【００３６】
手段１５によれば、第１の扉枠を所定角度以上開放しない限りは、第２の扉枠の開放が許容されないため、不正行為をより一層行いにくくすることができる。また、仮に両扉枠を開けて不正行為を行おうとした場合には、当該行為をより発見しやすい。その結果、一層の不正防止を図ることができる。
【００３７】
手段１６．前記第１の扉枠は、樹脂のみによって構成されていることを特徴とする手段９乃至１５のいずれかに記載の遊技機。
【００３８】
手段１６によれば、第１の扉枠が樹脂のみによって構成されているため、当該第１の扉枠に関しては、困難性を伴うことなくリサイクルに供することができる。なお、「第１の扉枠が１種類の樹脂のみによって構成されていること」としてもよい。
【００３９】
手段１７．前記第２の扉枠は、金属のみによって構成されていることを特徴とする手段９乃至１６のいずれかに記載の遊技機。
【００４０】
手段１７によれば、第２の扉枠が金属のみによって構成されているため、当該第２の扉枠に関しては、困難性を伴うことなくリサイクルに供することができる。なお、「第２の扉枠が１種類の金属のみによって構成されていること」としてもよい。
【００４１】
手段１８．手段２乃至１７のいずれかにおいて、外枠を備え、前記前面枠は前記外枠の一側部にて開閉可能に支持されていることを特徴とする遊技機。
【００４２】
手段１９．正面略矩形状の外枠と、
外枠の一側部にて開閉可能に支持され、遊技盤の装着されてなる前面枠と
を備え、遊技盤の下方の発射部より遊技盤の上部に発射された遊技球に基づく遊技を行うよう構成された遊技機であって、
板状のガラス及び該ガラスを支持する金属製の支持フレームを有し、前記ガラスで前記遊技盤の前面側を覆うよう、前記前面枠に対し前記支持フレームの一側部にて開閉可能に支持されたガラス支持枠と、
前記ガラスを介して外部から前記遊技盤を視認できるよう開口部を有し、前記前面枠に対し一側部にて開閉可能に支持され、少なくとも樹脂を主体としてなる装飾枠と
を備えたことを特徴とする遊技機。
【００４３】
手段１９によれば、遊技盤の装着されてなる前面枠が、正面略矩形状の外枠の一側部にて開閉可能に支持される。遊技盤の下方の発射部より遊技盤の上部に遊技球が発射され、当該発射された遊技球に基づく遊技が行われる。さて、前面枠に対し、ガラス支持枠が支持フレームの一側部にて開閉可能に支持されており、その板状のガラスで遊技盤の前面側が覆われる。また、前面枠には装飾枠が開閉可能に支持され、遊技盤が、装飾枠の開口部から前記ガラスを介して外部から視認される。このように、装飾枠に関しては、樹脂が主体となっているため、当該装飾枠を容易にリサイクルに供することができる。また、ガラス支持枠に関しては、基本的には金属製の支持フレームとガラスとを分離すればよく、樹脂を主体とする装飾枠と切り離してリサイクルが可能となる。また、ガラス扉枠として一体的に構成されていた従来技術に比べ、重量が装飾枠及びガラス支持枠にそれぞれ分散されることとなり、各枠の各支持部にかかる負荷が軽減される。その結果、特殊な支持部を採用せずとも済む。
【００４４】
手段２０．前記装飾枠は、樹脂のみによって構成されていることを特徴とする手段１９に記載の遊技機。
【００４５】
手段２０によれば、装飾枠が樹脂のみによって構成されているため、当該装飾枠に関しては、困難性を伴うことなくリサイクルに供することができる。なお、「装飾枠が１種類の樹脂のみによって構成されていること」としてもよい。
【００４６】
手段２１．前記装飾枠は軸支部において開閉可能に支持されており、該軸支部も樹脂で構成されていることを特徴とする手段１９又は２０のいずれかに記載の遊技機。
【００４７】
手段２１によれば、装飾枠の軸支部も樹脂で構成されているため、より一層リサイクルを行いやすくすることができる。
【００４８】
手段２２．前記ガラス支持枠は軸支部において開閉可能に支持されており、該軸支部は前記支持フレームと同様、金属で構成されていることを特徴とする手段１９乃至２１のいずれかに記載の遊技機。
【００４９】
手段２２によれば、ガラス支持枠の軸支部も支持フレームと同様、金属で構成されているため、より一層リサイクルを行いやすくすることができる。
【００５０】
手段２３．前記前面枠のうち前記ガラス支持枠の周囲に、発光手段及び表示手段のうち少なくとも一方を設けたことを特徴とする手段１９乃至２２のいずれかに記載の遊技機。
【００５１】
手段２３によれば、発光手段及び表示手段のうち少なくとも一方が、前面枠のうちガラス支持枠の周囲に設けられている。このため、ガラス支持枠や装飾枠にこのような手段を設けなくても済み、ガラス支持枠及び装飾枠のリサイクルに際し上記手段を取り外す手間がかからない。その結果、さらなるリサイクル性の向上を図ることができる。なお、発光手段としては、例えば、ランプ等が挙げられ、表示手段としては、ドットマトリクス、ＬＥＤ、セグメント表示器、液晶表示器等が挙げられる。また、これら各手段には基板が含まれることとしてもよい。
【００５２】
手段２４．前記装飾枠には、前記発光手段及び表示手段のうち少なくとも一方の透光又は視認を許容するための透過手段が一体形成されていることを特徴とする手段２３に記載の遊技機。
【００５３】
手段２４によれば、外観品質の向上を図ることができるとともに、上記のように発光手段や表示手段、及び透過手段が設けられている場合であっても、ガラス支持枠及び装飾枠の部品点数が増大することがなく、ひいてはリサイクル性の低下を防止できる。
【００５４】
手段２５．手段１乃至２４のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。なお、この場合、扉枠としては、前面枠、ガラス扉枠、（上）皿の設けられてなる前飾り枠、等が例示される。
【００５５】
手段２６．手段１乃至２４のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、なお、この場合、扉枠としては、本体ボックスに開閉可能に支持された前面扉が例示される。
【００５６】
手段２７．手段１乃至２４のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、扉枠としては、前面枠、ガラス扉枠、（上）皿の設けられてなる前飾り枠、等が例示される。
【００５７】
【発明の実施の形態】
以下、パチンコ遊技機（以下、単に「パチンコ機」という）の一実施の形態を、図面に基づいて詳細に説明する。
【００５８】
図１に示すように、パチンコ機１は、外枠２と、該外枠２の前部に設けられ外枠２の一側部にて開閉可能に支持された前面枠３とを備えている。
【００５９】
前面枠３の前面側には、ガラス扉枠４が設けられている。前面枠３の後部（ガラス扉枠４の奥、外枠２の内側）には、遊技盤５が着脱可能に装着されている。
【００６０】
ガラス扉枠４の下方には、遊技球Ｂを貯留するための上皿６の一体形成された前飾り枠９が設けられている。また、前面枠３の前面下部には、左右方向ほぼ中央部において下皿７が設けられている。下皿７の側部には、遊技球発射用ハンドル８が設けられている。ハンドル８は図示しない遊技球発射装置に連結されており、遊技者がハンドル８を回転させることにより、遊技球Ｂが遊技球発射装置から発射される。従って、前記前飾り枠９の裏側部分が遊技球Ｂの発射部に相当している。
【００６１】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００６２】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００６３】
可変表示装置１４は、液晶表示部２０と、該液晶表示部２０を囲むように設けられたセンターフレーム２１とを備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００６４】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００６５】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘が植設されているとともに、風車等の各種部材（役物）が配設されている。
【００６６】
次に、本実施の形態の特徴部分であるガラス扉枠４の構成について説明する。図２，３に示すように、本実施の形態では、ガラス扉枠４は、透明部材としてのガラス４１，４２を支持する支持フレーム４３と、その前面側に位置する装飾枠３２とから構成されている。換言すれば、ガラス扉枠４は、第２の扉枠、透明部材支持枠を構成する支持フレーム４３、及び、第１の扉枠を構成する装飾枠３２に分離されている。
【００６７】
尚、前後２枚のガラス４１，４２と、これらガラス４１，４２の周縁を支持するための金属製の支持フレーム４３とを以て第２の扉枠、透明部材支持枠を構成するガラス支持枠３１としてもよい。ガラス支持枠３１（支持フレーム４３）は、右側部の上下２カ所の軸支部（図示略）において、前面枠３に対し、開閉可能に支持されている。かかる軸支部の構成については、特に限定されるものではなく、例えば一般に採用されている軸支構造を採用することができる。すなわち、蝶番等で開閉可能に支持することとしてもよいし、支持フレーム４３の上下両端に係合突部又は係合凹部を設け、それに対応する前面枠３に係合凹部又は係合突部を設け、両者を係合させることで開閉可能に支持することとしてもよい。但し、軸支部としては、前記支持フレーム４３と同じ金属素材により構成されているのがより望ましい。
【００６８】
また、ガラス支持枠３１（支持フレーム４３）の軸支部とは反対側の側部（閉状態における左端部）及びそれに対応する前面枠３には、ロック機構４４Ａ，４４Ｂがそれぞれ設けられている。該ロック機構４４Ａ，４４Ｂによって、ガラス支持枠３１（支持フレーム４３）が閉状態にある場合に、該ガラス支持枠３１（支持フレーム４３）が開放不能な状態にロックされるようになっている。また、そのロック状態は、解除操作部たるキーシリンダ４５に対する所定のキー操作によって解除されるように構成されている。
【００６９】
さらに、装飾枠３２は、その中央において前記遊技領域にほぼ対応するようにして略円形状の開口部５１が形成されている。かかる開口部５１の存在により、前記ガラス４１，４２を介して遊技盤５等を外部から視認できるようになっている。装飾枠３２は、主として、ＡＢＳ樹脂、ポリカーボネート樹脂等の樹脂材料によって構成されており、その前面側において、外観品質を高めるべく外装部材５２が設けられている。本実施の形態において、前記外装部材５２は、前記開口部の下部を除く周縁を囲むようにして設けられ、同じく樹脂により構成されている。
【００７０】
かかる装飾枠３２は、その左側部の上下２カ所の軸支部において、前面枠３に対し、開閉可能に支持されている。かかる軸支部の構成についても特に限定されるものではなく、例えば一般に採用されている軸支構造を採用することができる。但し、軸支部としては、前記装飾枠３２を主として構成する樹脂材料により構成されているのがより望ましい。
【００７１】
また、装飾枠３２の軸支部とは反対側の側部（閉状態における左端部）及びそれに対応する前面枠３には、ロック機構５３（前面枠３側のロック機構については図示略）がそれぞれ設けられている。該ロック機構５３によって、装飾枠３２が閉状態にある場合に、該装飾枠３２が開放不能な状態にロックされるようになっている。さらに、装飾枠３２の軸支部とは反対側の側部中央には切欠き５４が形成されている。そして、前記ロック状態は、該切欠き５４に対応して前面枠３に設けられた解除操作部たるキーシリンダ５５に対する所定のキー操作によって解除されるように構成されている。
【００７２】
次に、上記のように構成されてなる本実施の形態の作用及び効果について説明する。
【００７３】
本実施の形態では、ガラス扉枠４をガラス支持枠３１（支持フレーム４３）、及び、樹脂を主体とする装飾枠３２により構成することとしている。このため、ガラス扉枠として一体的に構成され、各素材毎に分離してリサイクルを行う必要があった従来技術とは異なる。すなわち、装飾枠３２に関しては、樹脂が主体となっているため、当該装飾枠３２を取外して容易にリサイクルに供することができる。また、ガラス支持枠３１に関しては、ガラス４１，４２を取外して金属製の支持フレーム４３をそのままリサイクルに供すればよく、樹脂を主体とする装飾枠３２と切り離してリサイクルが可能となる。その結果、リサイクル性の飛躍的な向上を図ることができる。
【００７４】
さらに、装飾枠３２の軸支部を、該装飾枠３２を主として構成する樹脂と同じ素材で構成したり、ガラス支持枠３１の軸支部を、支持フレーム４３と同様、金属で構成したりした場合には、さらなるリサイクル性の向上を図ることができる。
【００７５】
また、ガラス扉枠４の重量がガラス支持枠３１及び装飾枠３２にそれぞれ分散されることとなる。従って、１つのガラス扉枠でガラスを支持し、かつ、装飾機能を具備するガラス扉枠を一側にて軸支する必要のあった従来技術とは異なり、ガラス支持枠３１（支持フレーム４３）の軸支部及び装飾枠３２の軸支部にかかる負荷を軽減することができる。その結果、特殊な軸支部を採用せずとも済み、従来より存在する軸支構造又はそれよりも簡素な軸支構造を採用することができる。また、ガラス扉枠４に対する装飾等の付加に関し、様々なバリエーションを持たせることが可能となる。
【００７６】
さらに、ガラス支持枠３１（支持フレーム４３）の軸支部と装飾枠３２の軸支部とは、互いに反対側に位置しているため、同じ側の軸支部で軸支される場合に比べて、前面枠３にかかる負荷を分散させることができる。また、軸支構造についても込み入った複雑なものとなりにくい。
【００７７】
併せて、ガラス支持枠３１（支持フレーム４３）及び装飾枠３２の閉状態にあっては、装飾枠３２がガラス支持枠３１の前面側に位置する。このため、装飾枠３２を所定角度以上開放し、さらにガラス支持枠３１（支持フレーム４３）を開けなければ、遊技盤５が露出状態とならない。このため、ガラス扉枠４を開けて可変入賞装置１２等に不正に遊技球Ｂを入賞させる等の不正行為を、より行いにくいものとすることができる。
【００７８】
加えて、本実施の形態では、ガラス支持枠３１（支持フレーム４３）及び装飾枠３２につき、それぞれロック機構４４Ａ，４４Ｂ、５３を設けることとしている。このため、不正行為の防止をより一層確実に図ることができる。
【００７９】
尚、上述した実施の形態の記載内容に限定されず、例えば次のように実施してもよい。
【００８０】
（ａ）上記実施の形態における装飾枠３２に関しては、主として樹脂により構成されていればよく、多少の異種素材が設けられていても差し支えない。これに対し、図４，５に示すように、装飾枠８２全て又はそのほとんどを、樹脂材料によって構成することとしてもよい。すなわち、同図に示す例では、ガラス扉枠８０は、閉状態において遊技盤の前面側に位置するガラス支持枠８１（支持フレーム）と、閉状態においてその前面側に位置する装飾枠８２とから構成されている。前面枠８３においてガラス支持枠８１の周囲には、複数の発光手段としてのランプユニット８４が設けられている。ランプユニット８４は基板８５及び該基板８５上に搭載された複数のランプ８６を備えている。
【００８１】
一方、装飾枠８２には、その中央においてガラス支持枠８１内側の遊技領域にほぼ対応するようにして略円形状の開口部８７が形成されている。かかる装飾枠８２は、全て又はそのほとんどが樹脂材料によって構成されている。また、装飾枠８２には、前記各ランプユニット８４に対応するようにして透過手段としてのカバーレンズ８８が前面側に膨出するようにして一体形成されている。かかるカバーレンズ８８は、例えば透明又は半透明の樹脂材料により構成され（勿論不透明であって、孔が形成されていてもよい）、該ランプユニット８４からの透光が許容されるようになっている。
【００８２】
このような構成とすることで、ガラス支持枠８１や装飾枠８２にランプユニット８４を設けなくても済み、ガラス支持枠８１及び装飾枠８２のリサイクルに際しランプユニット８４を取り外す手間がかからない。しかも、装飾枠８２の全て又はそのほとんどが樹脂材料によって構成されている。その結果、さらなる飛躍的なリサイクル性の向上を図ることができる。また、装飾枠８２の薄肉化、軽量化等も図ることができる。なお、ランプユニット８４に代えて、或いは、加えて、ドットマトリクス、ＬＥＤ、セグメント表示器、液晶表示器等よりなる表示手段を設けることとしてもよい。
【００８３】
（ｃ）透明部材としての２枚のガラス４１，４２に代えて、１枚のガラスとしてもよいし、３枚以上のガラスとしてもよい。また、ガラス以外にも透明の樹脂板（例えばアクリル樹脂板）等で透明部材を構成してもよい。
【００８４】
（ｄ）上記実施の形態では、ガラス支持枠３１（支持フレーム４３）及び装飾枠３２の軸支部を左右それぞれ反対側に設定することとしているが、共に同じ側（例えば左側）で支持することとしてもよい。
【００８５】
（ｅ）ロック機構４４Ａ，４４Ｂ又はロック機構５３を省略するすることとしてもよい。また、各ロック機構やシリンダ等をガラス支持枠３１の支持フレーム４３を構成する金属や、装飾枠３２を主として構成する樹脂により構成してもよい。
【００８６】
（ｆ）上記実施の形態とは異なるタイプのパチンコ機にも適用してもよい。従って、可変表示装置１４のないパチンコ機にも応用できる。また、パチンココンピュータ（通称パチコン）と称される遊技機も、ここにいうパチンコ機と同じ概念に含まれるものである。また、本発明は、パチンコ機以外にも雀球、アレンジボール等の遊技機にも応用可能である。さらには、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【００８７】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【００８８】
（ｇ）上記実施の形態では、ガラス扉枠４を複数に分離して構成する場合について具体化しているが、他の扉枠、例えば前面枠３、前飾り枠９等について分離して構成してもよい。また、単一の素材として樹脂を例示しているが、他の素材、例えば金属を単一の素材としてもよい。
【図面の簡単な説明】
【図１】一実施の形態におけるパチンコ機を示す正面図である。
【図２】装飾枠を開いたパチンコ機を斜め上方からみた状態を簡易的に示す斜視図である。
【図３】装飾枠及びガラス支持枠を開いたパチンコ機を斜め上方からみた状態を簡易的に示す斜視図である。
【図４】別の実施の形態におけるパチンコ機を示す正面図である。
【図５】図４におけるＪ−Ｊ線断面図である。
【符号の説明】
１…遊技機としてのパチンコ機、２…外枠、３，８３…前面枠、４，８０…ガラス扉枠（扉枠）、５…遊技盤、３１，８１…扉枠、第２の扉枠、透明部材支持枠を構成するガラス支持枠、３２，８２…扉枠、第１の扉枠を構成する装飾枠、４１，４２…透明部材としてのガラス、４３，７１…扉枠、第２の扉枠、透明部材支持枠を構成しうる支持フレーム、４４Ａ，４４Ｂ，５３…ロック機構、５１…開口部、５２…外装部材、８４…発光手段を構成するランプユニット、８８…透過手段を構成するカバーレンズ、Ｂ…遊技球。
【図１】
2004008699.tif 000003
【図２】
2004008699.tif 000004
【図３】
2004008699.tif 000005
【図４】
2004008699.tif 000006
【図５】
2004008699.tif 000007